(57)【要約】【課題】成果物を生成又は編集する際に使用された機能を、マニュアルを検索するための情報を入力する操作を行わずに知ることが可能な情報処理装置及びプログラムを提供する。【解決手段】情報処理装置１は、記録モードにおいて、文書５５ａ（成果物）の生成又は編集に関する指示を各々受け付ける複数のボタン５３ａ（受付手段）のうち、ボタン５３ａが指示を受け付けた場合、文書５５ａとボタン５３ａとを対応付けて記憶する記憶部３と、学習モードにおいて文書５５ａが選択されたとき、選択された文書５５ａに対応付けられて記憶部３に記憶されたボタン５３ａを、学習モードの専用ツールバー５６Ｂ(予め定められた領域）に、例えば、「検索してマーク」のボタン５６１、「ページの加工」のボタン５６２として表示するよう制御する表示制御手段２３とを備える。【選択図】図６
2018147076.tif 000002
【特許請求の範囲】
【請求項１】
記録モードにおいて、成果物の生成又は編集に関する指示を各々受け付ける複数の受付手段のうち、前記受付手段が指示を受け付けた場合、前記成果物と前記受付手段とを対応付けて記憶する記憶手段と、
学習モードにおいて前記成果物が選択されたとき、選択された前記成果物に対応付けられて前記記憶手段に記憶された前記受付手段を、予め定められた領域に表示するよう制御する表示制御手段と、
を備えた情報処理装置。
【請求項２】
前記表示制御手段は、前記受付手段を前記予め定められた領域に時系列的に表示するよう制御する、
請求項１に記載の情報処理装置。
【請求項３】
前記表示制御手段は、前記学習モードにおいて前記予め定められた領域に表示された前記受付手段が選択されたとき、前記受付手段が受け付ける前記指示に対応する機能の使用説明を表示するよう制御する、
請求項１又は２に記載の情報処理装置。
【請求項４】
前記表示制御手段は、前記機能の使用説明を表示した前記受付手段について、当該受付手段を推奨する機能として前記予め定められた領域とは異なる領域に、又は他の受付手段とは異なる態様で表示を行うよう制御する、
請求項３に記載の情報処理装置。
【請求項５】
前記表示制御手段は、前記推奨する機能として表示した前記受付手段が閾値回数以上指示された場合、前記推奨する機能としての前記表示を中止するよう制御する、
請求項４に記載の情報処理装置。
【請求項６】
前記表示制御手段は、前記推奨する機能として表示した前記受付手段を前記予め定められた領域から除外するよう制御する、
請求項４に記載の情報処理装置。
【請求項７】
前記表示制御手段は、前記予め定められた領域に表示した前記受付手段が閾値回数以上指定された場合、当該受付手段を前記予め定められた領域から除外するよう制御する、
請求項１から５のいずれか１項に記載の情報処理装置。
【請求項８】
前記表示制御手段は、前記予め定められた領域に表示した前記受付手段のうち、前記成果物中の構成要素が選択されたとき、前記構成要素の生成又は編集の際に指示を受け付けた前記受付手段を強調して表示するよう制御する、
請求項１から７のいずれか１項に記載の情報処理装置。
【請求項９】
前記記録モードと前記学習モードとを切り替える切替手段をさらに備えた請求項１から８のいずれか１項に記載の情報処理装置。
【請求項１０】
記憶手段を有するコンピュータを、
記録モードにおいて、成果物の生成又は編集に関する指示を各々受け付ける複数の受付手段のうち、前記受付手段が指示を受け付けた場合、前記成果物と前記受付手段とを対応付けて前記記憶手段が記憶するよう制御する記憶制御手段と、
学習モードにおいて前記成果物が選択されたとき、選択された前記成果物に対応付けられて前記記憶手段に記憶された前記受付手段を、予め定められた領域に表示するよう制御する表示制御手段として機能させるためのプログラム。
【発明の詳細な説明】
【技術分野】
【０００１】
本発明は、情報処理装置及びプログラムに関する。
【背景技術】
【０００２】
近年、文書処理装置上の文書処理作業の状況に応じて、作業の手助けとなる画面をユーザに提供するヘルプ機能を有する文書処理装置が提案されている（例えば、特許文献１参照。）。
【０００３】
特許文献１に記載された文書処理装置は、外部にオンラインマニュアル専用の表示画面と簡易キーボードを持つ装置を設置したものである。
【先行技術文献】
【特許文献】
【０００４】
【特許文献１】特開平４−２８３８５４号公報
【発明の概要】
【発明が解決しようとする課題】
【０００５】
本発明の課題の一つは、成果物を生成又は編集する際に使用された機能を、マニュアルを検索するための情報を入力する操作を行わずに知ることが可能な情報処理装置及びプログラムを提供することにある。
【課題を解決するための手段】
【０００６】
［１］記録モードにおいて、成果物の生成又は編集に関する指示を各々受け付ける複数の受付手段のうち、前記受付手段が指示を受け付けた場合、前記成果物と前記受付手段とを対応付けて記憶する記憶手段と、
学習モードにおいて前記成果物が選択されたとき、選択された前記成果物に対応付けられて前記記憶手段に記憶された前記受付手段を、予め定められた領域に表示するよう制御する表示制御手段と、を備えた情報処理装置。
［２］前記表示制御手段は、前記受付手段を前記予め定められた領域に時系列的に表示するよう制御する、前記［１］に記載の情報処理装置。
［３］前記表示制御手段は、前記学習モードにおいて前記予め定められた領域に表示された前記受付手段が選択されたとき、前記受付手段が受け付ける前記指示に対応する機能の使用説明を表示するよう制御する、前記［１］又は［２］に記載の情報処理装置。
［４］前記表示制御手段は、前記機能の使用説明を表示した前記受付手段について、当該受付手段を推奨する機能として前記予め定められた領域とは異なる領域に、又は他の受付手段とは異なる態様で表示を行うよう制御する、前記［３］に記載の情報処理装置。
［５］前記表示制御手段は、前記推奨する機能として表示した前記受付手段が閾値回数以上指示された場合、前記推奨する機能としての前記表示を中止するよう制御する、前記［４］に記載の情報処理装置。
［６］前記表示制御手段は、前記推奨する機能として表示した前記受付手段を前記予め定められた領域から除外するよう制御する、前記［４］に記載の情報処理装置。
［７］前記表示制御手段は、前記予め定められた領域に表示した前記受付手段が閾値回数以上指定された場合、当該受付手段を前記予め定められた領域から除外するよう制御する、前記［１］から［５］のいずれかに記載の情報処理装置。
［８］前記表示制御手段は、前記予め定められた領域に表示した前記受付手段のうち、前記成果物中の構成要素が選択されたとき、前記構成要素の生成又は編集の際に指示を受け付けた前記受付手段を強調して表示するよう制御する、前記［１］から［７］のいずれかに記載の情報処理装置。
［９］前記記録モードと前記学習モードとを切り替える切替手段をさらに備えた前記［１］から［８］のいずれかに記載の情報処理装置。
［１０］記憶手段を有するコンピュータを、
記録モードにおいて、成果物の生成又は編集に関する指示を各々受け付ける複数の受付手段のうち、前記受付手段が指示を受け付けた場合、前記成果物と前記受付手段とを対応付けて前記記憶手段が記憶するよう制御する記憶制御手段と、
学習モードにおいて前記成果物が選択されたとき、選択された前記成果物に対応付けられて前記記憶手段に記憶された前記受付手段を、予め定められた領域に表示するよう制御する表示制御手段として機能させるためのプログラム。
【発明の効果】
【０００７】
請求項１、７、８、９に係る発明によれば、成果物を生成又は編集する際に使用された機能を、マニュアルを検索するための情報を入力する操作を行わずに知ることが可能になる。
請求項２に係る発明によれば、受付手段の使用順序が分かる。
請求項３に係る発明によれば、受付手段の使用方法をユーザに伝えることができる。
請求項４に係る発明によれば、どの受付手段の使用説明を閲覧したかが分かる。
請求項５、７に係る発明によれば、何度も使用した受付手段、又は何度も機能の使用説明を閲覧した受付手段を表示することを中止又は除外することにより、どの受付手段が学習に必要かが分かる。
請求項６に係る発明によれば、受付手段の重複した表示を避けることができる。
【図面の簡単な説明】
【０００８】
【図１】図１は、本発明の実施の形態に係る情報処理システムの構成例を示すブロック図である。
【図２】図２は、操作ログテーブルの一例を示す図である。
【図３】図３は、専用ツールバーテーブルの一例を示す図である。
【図４】図４は、記録モードにおける情報処理装置の動作の一例を示すフローチャートである。
【図５】図５は、作業画面の一例を示す図である。
【図６】図６は、作業画面の一例を示す図である。
【図７】図７は、作業画面の一例を示す図である。
【図８】図８は、作業画面の一例を示す図である。
【図９】図９は、学習モードにおける情報処理装置の動作の一例を示すフローチャートである。
【図１０】図１０は、作業画面の一例を示す図である。
【図１１】図１１は、学習モードにおける情報処理装置の動作の一例を示すフローチャートである。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態の要約］
本実施の形態に係る情報処理装置は、記録モードにおいて、成果物の生成又は編集に関する指示を各々受け付ける複数の受付手段のうち、受付手段が指示を受け付けた場合、成果物と受付手段とを対応付けて記憶する記憶手段と、学習モードにおいて成果物が選択されたとき、選択された成果物に対応付けられて記憶手段に記憶された受付手段を、予め定められた領域に表示するよう制御する表示制御手段とを備える。
【００１１】
「成果物」は、例えば、文書、画像等である。文書には、写真、図表、イラスト等のデータが含まれていてもよい。「編集」には、文書や画像自体の編集だけでなく、複数の文書や画像を１つにまとめる処理も含まれる。
【００１２】
「受付手段」は、成果物を生成又は編集する際に使用する機能を実行させるためのものであり、ボタンでもよいし、絵又は絵文字で表現されたアイコンでもよいし、文字で表現されたものや、図形と文字で表現されたものでもよい。
【００１３】
［実施の形態］
図１は、本発明の実施の形態に係る情報処理装置の構成例を示すブロック図である。
【００１４】
この情報処理装置１は、本装置１の各部を制御する制御部２と、各種の情報を記憶する記憶部３と、キーボード、マウス等により実現される入力部４と、液晶ディスプレイ等により実現される表示部５とを備える。記憶部３は、記憶手段の一例である。
【００１５】
なお、入力部４及び表示部５は、タッチパネルディスプレイにより構成してもよい。情報処理装置１は、例えば、パーソナルコンピュータ、多機能携帯電話機（スマートフォン）等の携帯型の情報処理装置を用いることができる。
【００１６】
制御部２は、ＣＰＵ（Central Processing Unit）、インターフェース等から構成されている。ＣＰＵは、記憶部３のプログラム格納部３０に格納されたプログラムに従って動作することによりモード切替手段２０、記憶制御手段２１、取得手段２２、表示制御手段２３等として機能する。各手段２０〜２３の詳細については後述する。
【００１７】
記憶部３は、ＲＯＭ（Read Only Memory）、ＲＡＭ（Random Access Memory）、ハードディスク等から構成されている。記憶部３は、ドキュメントを管理するドキュメントハンドリングソフトウェア等のプログラムを格納するプログラム格納部３０と、文書を格納する文書格納部３１と、機能の使用説明（マニュアルともいう。）を格納する機能使用説明格納部３２と、操作ログテーブル３３０（図２参照）を格納する操作ログテーブル格納部３３と、専用ツールバーテーブル３４０（図３参照）を格納する専用ツールバーテーブル格納部３４とを備える。文書は、成果物の一例である。
【００１８】
ドキュメントハンドリングソフトウェアは、例えば、スキャナで読み込まれた紙文書を電子化して管理するとともに、異なるアプリケーションで作成された文書データであっても、１つの文書にまとめて管理することが可能なであり、電子文書にマーカーを引く、コメントを入れる、付箋を貼る、スタンプを押す等の編集操作が可能なものでもよい。
【００１９】
文書格納部３１には、文書を識別する文書ＩＤに紐付けられて複数の文書、画像等が格納されている。
【００２０】
機能使用説明格納部３２には、標準ツールバー５３（図５参照）に配置されたボタン５３ａの機能の使用説明がボタン５３ａに紐付けられて格納されている。
【００２１】
図２は、操作ログテーブル３３０の一例を示す図である。操作ログテーブル３３０は、文書を識別する文書ＩＤごとに設けられている。同図は文書ＩＤが「１２３４」の場合を示す。操作ログテーブル３３０には、ユーザが使用したボタンのボタン名が操作ログとして記録される。操作ログテーブル３３０には、ユーザを識別するユーザＩＤが記録される「ユーザＩＤ」欄、ボタンを操作した時刻（年月日時間）が記録される「時刻」欄、使用されたボタンのボタン名が記録される「ボタン名」欄が設けられている。同図の場合、「ボタン名」欄には、「検索してマーク」、「ページの加工」が記録されている例を示す。ボタンは、受付手段の一例である。
【００２２】
「検索してマーク」は、例えば、検索対象の文書を選択し、「検索してマーク」のボタンをクリックして検索したい文字列を入力すると、検索結果として検索した文字列にマーカーが引かれ、そのページに付箋が貼られるものである。「ページの加工」は、例えば、データ形式の変更、解像度の変更等の加工を行うものである。
【００２３】
図３は、専用ツールバーテーブル３４０の一例を示す図である。専用ツールバーテーブル３４０は、文書ＩＤごとに設けられている。同図は文書ＩＤが「１２３４」の場合を示す。専用ツールバーテーブル３４０には、ユーザＩＤが記録される「ユーザＩＤ」欄、推奨するボタンのボタン名が記録される「おススメ機能」の「タブ名」欄が設けられている。「おススメ機能」の「タブ名」欄には、学習モードの専用ツールバー５６Ｂ（図５参照）に表示したボタンのうち、機能の使用説明を閲覧するために操作されたボタンのボタン名が記録される。
【００２４】
（作業画面の構成）
表示部５に表示される作業画面の構成について、図５を参照して説明する。図５は、学習モードにおける作業画面の一例を示す図である。作業画面５０には、タイトルバー５１、メニューバー５２、標準ツールバー５３、フォルダ部５４、ワークスペース部５５、３つの専用ツールバー５６Ａ、５６Ｂ、５６Ｃ等が設けられている。
【００２５】
タイトルバー５１には、タイトル５１ａ、最小化ボタン５１ｂ、最大化ボタン５１ｃ、閉じるボタン５１ｄが設けられている。標準ツールバー５３には、ドキュメントハンドリングソフトウェアが標準のツールとして用意した複数のボタン５３ａが配置されている。
【００２６】
フォルダ部５４は、 フォルダ５４ａのツリー構成を表示する領域である。ワークスペース部５５は、フォルダ部５４で選択されたフォルダ５４ａ内の文書５５ａをサムネイル画像で表示する領域である。ワークスペース部５５には、文書の生成や編集に使用される領域である。ワークスペース部５５には、ワークスペース部５５の表示範囲を変更するスクロールバー５５ｂが設けられている。
【００２７】
３つの専用ツールバー５６Ａ、５６Ｂ、５６Ｃは、それぞれタブを有する画面（「タブ画面」という。）になっている。すなわち、「便利な機能」タブ５６ａを有する便利な機能の専用ツールバー５６Ａと、「学習モード」タブ５６ｂを有する学習モードの専用ツールバー５６Ｂと、「おススメ機能」タブ５６ｃを有するおススメ機能の専用ツールバー５６Ｃとが設けられている。おススメ機能の専用ツールバー５６Ｃは、予め定められた領域とは異なる領域の一例である。
【００２８】
便利な機能の専用ツールバー５６Ａには、標準ツールバー５３に配置されたボタン５３ａのうち、ユーザが良く使用するものとして選択されたボタンが表示される。学習モードの専用ツールバー５６Ｂには、学習モードで使用されるボタンが表示される。おススメ機能の専用ツールバー５６Ｃには、推奨するボタンが表示される。学習モードの専用ツールバー５６Ｂは、予め定められた領域の一例である。推奨するボタンをおススメ機能の専用ツールバー５６Ｃに表する方法の他に、学習モードの専用ツールバー５６Ｂに表示したボタンを強調表示してもよい。
【００２９】
モード切替手段２０は、入力部４の操作により記録モードが選択されると、記録モードに切り替え、作業画面５０で「学習モード」タブ５６ｂをクリックされると、記録モードから学習モードに切り替える。
【００３０】
記憶制御手段２１は、記録モードにおいて、成果物の生成又は編集に関する指示を各々受け付ける複数のボタンのうち、ボタンが指示を受け付けた場合、成果物とボタンとを対応付けて記憶部３が記憶するよう制御する。すなわち、記憶制御手段２１は、標準ツールバー５３に配置されている複数のボタン５３ａのうち、ボタン５３ａが指定を受けた場合、文書とボタンを対応付けて操作ログテーブル３３０に記録する。また、記憶制御手段２１は、学習モードの専用ツールバー５６Ｂに表示したボタンが選択されると、選択されたボタンのボタン名をおススメ機能として専用ツールバーテーブル３４０の「タブ名」欄に記録する。
【００３１】
取得手段２２は、選択された文書に対応する操作ログを操作ログテーブル３３０から取得する。
【００３２】
表示制御手段２３は、学習モードにおいて学習モードの専用ツールバー５６Ｂに表示されたボタンが選択されたとき、ボタンが受け付ける指示に対応する機能の使用説明を表示するよう制御する。
【００３３】
また、表示制御手段２３は、機能の使用説明を表示したボタンについて、当該ボタンを推奨する機能としておススメ機能の専用ツールバー５６Ｃに表示するよう制御する。この場合、専用ツールバーテーブル３４０に当該ボタン名が記録されていることを確認して当該ボタンをおススメ機能の専用ツールバー５６Ｃに表示してもよい。重複してボタンをおススメ機能の専用ツールバー５６Ｃに表示することを避けることができる。
【００３４】
表示制御手段２３は、学習モードの専用ツールバー５６Ｂに表示したボタンのうち、成果物中の構成要素が選択されたとき、構成要素の生成又は編集の際に指示を受け付けたボタンを強調して表示するよう制御する。
【００３５】
なお、表示制御手段２３は、推奨する機能として表示したボタンが閾値回数以上指示された場合、推奨する機能としての表示を中止するよう制御してもよい。また、表示制御手段２３は、学習モードの専用ツールバー５６Ｂに表示したボタンが閾値回数以上指定された場合、当該ボタンを学習モードの専用ツールバー５６Ｂから除外するよう制御してもよい。また、表示制御手段２３は、推奨する機能として表示したボタンを学習モードの専用ツールバー５６Ｂから除外するよう制御してもよい。
【００３６】
（本実施の形態の動作）
次に、本実施の形態に係る情報処理装置１の動作の一例について図５〜図１１を参照して説明する。図４は、記録モードにおける情報処理装置１の動作の一例をフローチャートである。図５〜図８、図１０は、作業画面の一例を示す図である。図９、図１１は、学習モードにおける情報処理装置１の動作の一例をフローチャートである。
【００３７】
以下、ユーザＩＤが「userA」のＡさんが文書を編集し、ユーザＩＤが「userB」のＢさんがＡさんの文書の編集を学習するものとして説明する。
【００３８】
（１）記録モード
記録モードの動作について、図４のフローチャートに従って説明する。
【００３９】
ユーザＡは、入力部４を操作して自己のユーザＩＤ「userA」を入力し、記録モードを選択する（Ｓ１）。モード切替手段２０は、本装置１のモードを記録モードとする。ユーザＡは、入力部４を操作してプログラム格納部３０に格納されているドキュメントハンドリングソフトウェアを起動させる。ドキュメントハンドリングソフトウェアの起動により、表示制御手段２３は、図５に示すような作業画面５０を表示部５に表示する。
【００４０】
次に、ユーザＡは、ワークスペース部５５に表示されている複数の文書５５ａから編集対象の文書５５ａ（例えば、ハッチングが施されたもの）を選択する。
【００４１】
次に、ユーザＡは、標準ツールバー５３に表示されたボタン５３ａのうち、編集に使用するボタン５３ａをクリックして選択し、編集対象の文書を編集する。記憶制御手段２１は、選択されたボタン５３ａの操作を操作ログテーブル３３０に記録する（Ｓ２）。
【００４２】
例えば、「検索してマーク」のボタン５３ａを選択して編集対象を編集した後、「ページの加工」のボタン５３ａを選択して編集対象を編集した場合、図２に示すように、操作ログテーブル３３０の「ユーザＩＤ」欄にユーザＩＤが記録され、「時刻」欄にボタン５３ａを操作した時刻が記録され、「ボタン名」欄にボタン５３ａの名前の「検索してマーク」及び「ページの加工」が記録される。
【００４３】
（２）学習モード
学習モードの動作について、図９のフローチャートに従って説明する。
【００４４】
ユーザＢは、図５に示す作業画面５０の「学習モード」タブ５６ｂをクリックして選択する（Ｓ１１：Ｙeｓ）。モード切替手段２０は、本装置１のモードを記録モードから学習モードに切り替える。
【００４５】
ユーザＢは、学習したい対象の文書５５ａをクリックして選択する。表示制御手段２３は、図６に示すように、選択されたサムネイル画像による文書５５ａをワークスペース部５５上に開いたウィンドウ５８に拡大して表示する。取得手段２２は、選択された文書５５ａに対応する操作ログを操作ログテーブル３３０から取得する（Ｓ１２）。
【００４６】
表示制御手段２３は、取得された操作ログに基づいて、図６に示すように、使用されたボタンを作業画面５０の学習モードの専用ツールバー５６Ｂに表示する（Ｓ１３）。
【００４７】
図６に示す学習モードの専用ツールバー５６Ｂには、「検索してマーク」のボタン５６１と、「ページの加工」のボタン５６２が使用された順序に従って時系列的に表示される。
【００４８】
次に、ユーザＢが、学習モードの専用ツールバー５６Ｂに表示されたボタン５６１、５６２のうち、いずれかのボタン（例えば、ボタン５６１）をダブルクリックして選択すると（Ｓ１４：Ｙeｓ）、表示制御手段２３は、選択されたボタン５６１に対応する機能の使用説明５７を機能使用説明格納部３２から読み出し、図７に示すように、作業画面５０に表示する（Ｓ１５）。機能の使用説明５７は、静止画像でも動画でもよい。また、機能の使用説明５７は、スクロールして閲覧してもよい。
【００４９】
図７に示す作業画面５０には、機能の使用説明５７がポップアップにより表示されている。また、図７では、「検索してマーク」のボタン５６１が選択されたことを示すために強調表示されている。強調表示としては、例えば、同図に示すように、「検索してマーク」のボタン５６１を含む矩形領域（図７のハッチングを施した領域）を特定の色で表示してもよく、機能の使用説明５７から矢印５７ａで「検索してマーク」のボタン５６１を示してもよい。また、「検索してマーク」のボタン５６１又はボタン名を他のボタン５６２又はボタン名よりも大きく表示してもよく、「検索してマーク」のボタン５６１を点滅させてもよい。
【００５０】
記憶制御手段２１は、図３に示す専用ツールバーテーブル３４０の「タブ名」欄におススメ機能としてボタン名「検索してマーク」を記録する。
【００５１】
表示制御手段２３は、当該ボタン５６１を推奨ボタンとして、図８に示すように、おススメ機能の専用ツールバー５６Ｃに表示する（Ｓ１６）。
【００５２】
図８に示すおススメ機能の専用ツールバー５６Ｃには、「検索してマーク」のボタン５６１が表示される。
【００５３】
（３）他の学習モード
他の学習モードの動作について、図１１のフローチャートに従って説明する。
【００５４】
ユーザＢは、図５に示す作業画面５０の「学習モード」タブ５６ｂをクリックして選択する（Ｓ２１：Ｙeｓ）。モード切替手段２０は、本装置１のモードを記録モードから学習モードに切り替える。
【００５５】
ユーザＢは、学習したい対象のサムネイル画像による文書５５ａをクリックして選択する。表示制御手段２３は、図６に示すように、選択されたサムネイル画像による文書５５ａをワークスペース部５５上に開いたウィンドウ５８に拡大して表示する。取得手段２２は、選択された文書５５ａに対応する操作ログを操作ログテーブル３３０から取得する（Ｓ２２）。
【００５６】
表示制御手段２３は、取得された操作ログに基づいて、図６に示すように、使用されたボタンを作業画面５０の学習モードの専用ツールバー５６Ｂに表示する（Ｓ２３）。
【００５７】
図６に示す学習モードの専用ツールバー５６Ｂには、「検索してマーク」のボタン５６１と、「ページの加工」のボタン５６２が表示される。
【００５８】
次に、図６に示す作業画面５０において、ユーザＢが文書５５ａ上のオブジェクト、例えば付箋５５ｃにカーソル５５ｄを移動して選択すると（図１０参照）、表示制御手段２３は、オブジェクトの付箋５５ｃが選択されたと判断し（Ｓ２４：Ｙｅｓ）、図１０に示すように、学習モードの専用ツールバー５６Ｂに表示されているボタン５６１、５６２のうち、選択したオブジェクトに対応する「検索してマーク」のボタン５６１を強調表示する。オブジェクトの作成（手動、自動の両方の場合を含む。）に使われたボタンを直感的に知ることができる。強調表示としては、例えば、同図に示すように、「検索してマーク」のボタン５６１を含む矩形領域を特定の色で表示してもよく、他の態様でもよい。オブジェクトは、成果物の構成要素の一例である。
【００５９】
［変形例］
以上、本発明の実施の形態を説明したが、本発明の実施の形態は上記実施の形態に限定されるものではなく、本発明の要旨を変更しない範囲内で種々の変形、実施が可能である。上記実施の形態では、文書を編集する場合について説明したが、文書を作成する場合も本発明を適用することができる。
【００６０】
制御部２の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００６１】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することができる。また、上記実施の形態で用いたプログラムをクラウドサーバ等の外部サーバに格納しておき、ネットワークを介して利用することができる。
【符号の説明】
【００６２】
１…情報処理装置、２…制御部、３…記憶部、４…入力部、５…表示部、
２０…モード切替手段、２１…記憶制御手段、２２…取得手段、
２３…表示制御手段、３０…プログラム格納部、３１…文書格納部、
３２…機能使用説明格納部、３３…操作ログテーブル格納部、
３４…専用ツールバーテーブル格納部、５０…作業画面、５１…タイトルバー、
５１ａ…タイトル、５１ｂ…最小化ボタン、５１ｃ…最大化ボタン、
５１ｄ…閉じるボタン、５２…メニューバー、５３…標準ツールバー、
５３ａ…ボタン、５４…フォルダ部、５４ａ…フォルダ、５５…ワークスペース部、
５５ａ…文書、５５ｂ…スクロールバー、５５ｃ…付箋、５５ｄ…カーソル
５６Ａ…便利な機能の専用ツールバー、５６Ｂ…学習モードの専用ツールバー、
５６Ｃ…おススメ機能の専用ツールバー、５６ａ…「便利な機能」タブ、
５６ｂ…「学習モード」タブ、５６ｃ…「おススメ機能」タブ、
５７…機能の使用説明、５７ａ…矢印、５８…ウィンドウ、
３３０…操作ログテーブル、３４０…専用ツールバーテーブル、
５６１…「検索してマーク」のボタン、５６２…「ページの加工」のボタン
【図１】
2018147076.tif 000003
【図２】
2018147076.tif 000004
【図３】
2018147076.tif 000005
【図４】
2018147076.tif 000006
【図５】
2018147076.tif 000007
【図６】
2018147076.tif 000008
【図７】
2018147076.tif 000009
【図８】
2018147076.tif 000010
【図９】
2018147076.tif 000011
【図１０】
2018147076.tif 000012
【図１１】
2018147076.tif 000013